(57)【要約】【課題】ディスクトレイを引き出したときのピックアップヘッドへの粉塵の付着を防止する。【解決手段】ケース４内部には、ピックアップヘッド８を有するディスク再生メカ５、ＣＰＵ１６、排気ファン１７が設けられている。ケース４には、ディスクトレイ２１が格納位置と引出し位置との間で移動可能に取り付けられている。ケース４前面には、トレイ挿入孔４ｂが形成されている。ケース４内部には、ディスクトレイ２１の位置を検出する位置検出スイッチ３１が設けられている。ディスクトレイ２１が格納位置に位置するときには、排気ファン１７は駆動可能とされ、温度センサ３２による検出温度が３５℃を超えると、排気ファン１７が駆動される。ディスクトレイ２１が引出し位置に位置し、トレイ挿入孔４ｂが露呈しているときには、排気ファン１７は停止され、ケース４外部の粉塵がトレイ挿入孔４ｂを通ってケース４内部に侵入することが防止される。【選択図】図２
2009211786.tif 000002
【特許請求の範囲】
【請求項１】
ディスクを装填し、ケースから引き出された引出し位置と、前記ケース内部に格納された格納位置との間でディスクトレイが移動するディスク装置において、
前記ケース内部に設けられ、前記ディスクにデータの記録／再生を行うピックアップヘッドと、
前記ディスクトレイの位置を検出する位置検出手段と、
前記ケース内部に設けられ、前記ケース内部の空気を前記ケース外部に排気する排気ファンと、
前記位置検出手段の検出結果に基づいて、前記排気ファンの駆動を制御する制御手段と、を備えたことを特徴とするディスク装置。
【請求項２】
前記制御手段は、前記位置検出手段で前記ディスクトレイが格納位置に位置することが検出されているときには前記排気ファンを駆動可能とし、前記位置検出手段で前記ディスクトレイが格納位置に位置することが検出されていないときには前記排気ファンを停止することを特徴とする請求項１記載のディスク装置。
【請求項３】
前記本体ケース内部に設けられ、前記本体ケース内部の温度を検出する温度センサと、
前記位置検出手段で前記ディスクトレイが格納位置に位置することが検出されていないときに、前記温度センサでの検出温度が第１所定温度を超えたことに応答して、それを報知する報知手段と、を備えたことを特徴とする請求項１または２記載のディスク装置。
【請求項４】
前記ディスクトレイを移動するトレイ移動機構を備え、
前記トレイ移動機構は、前記位置検出手段で前記ディスクトレイが格納位置に位置することが検出されていないときに、前記温度センサでの検出温度が前記第１所定温度よりも高温の第２所定温度を超えたことに応答して、前記ディスクトレイを前記格納位置に移動することを特徴とする請求項３記載のディスク装置。
【請求項５】
前記ディスクトレイを移動するトレイ移動機構を備え、
前記トレイ移動機構は、前記位置検出手段で前記ディスクトレイが格納位置に位置することが検出されていないときに、前記温度センサでの検出温度が所定温度を超えたことに応答して、前記ディスクトレイを前記格納位置に移動することを特徴とする請求項１または２記載のディスク装置。
【請求項６】
前記ケース内部に設けられ、前記ケース外部の空気を前記ケース内部に吸気する吸気ファンを備え、
前記制御手段は、前記位置検出手段で前記ディスクトレイが格納位置に位置することが検出されているときには、前記排気ファンを駆動可能とするとともに前記吸気ファンを停止し、前記位置検出手段で前記ディスクトレイが格納位置に位置することが検出されていないときには、排気量と吸気量とがほぼ同じになるように前記排気ファン及び吸気ファンを駆動することを特徴とする請求項１記載のディスク装置。
【請求項７】
ディスクを装填し、ケースから引き出された引出し位置と前記ケース内部に格納された格納位置との間で移動するディスクトレイと、前記ケース内部に設けられ、前記ディスクにデータの記録／再生を行うピックアップヘッドと、前記ディスクトレイの位置を検出する位置検出手段とを有するディスク装置と、
前記ディスク装置を収納する本体ケースと、
前記本体ケース内部に設けられ、前記本体ケース内部の空気を前記本体ケース外部に排気する排気ファンと、
前記位置検出手段の検出結果に基づいて、前記排気ファンの駆動を制御する制御手段と、を備えたことを特徴とする電子機器。
【発明の詳細な説明】
【技術分野】
【０００１】
本発明は、ファンを有するディスク装置及び電子機器に関するものである。
【背景技術】
【０００２】
ディスク装置は、ターンテーブルに装着されたディスクを回転させながら、ピックアップヘッドを移動して、ディスクにデータを高密度で記録したり、あるいはディスクからデータを読み出しする。ピックアップヘッドは、発光素子から照射されたレーザ光をディスクの記録面に集光する対物レンズが組み込まれている。このディスク装置は、電子機器、例えばパソコン本体等に内蔵されたり、あるいは外付けされる。外付けタイプのディスク装置は、ディスクが載せられるディスクトレイを有し、ディスクトレイは、ケース内部に格納される格納位置と、ケースから引き出された引出し位置との間で移動する。このため、ケースには、ディスクトレイを挿入するためのトレイ挿入孔が形成されている。
【０００３】
外付けタイプのディスク装置は、ケース内部に、ピックアップヘッドの駆動を制御するＣＰＵ等の回路チップが実装された回路基板と、ケース内部の空気をケース外部に排気する排気ファンとが設けられている。排気ファンは、ＣＰＵから発せられた熱をケース外部に放出することにより、ＣＰＵの温度上昇を防止している。
【０００４】
また、ディスク装置を内蔵したパソコン本体では、本体ケース内部に、ディスク装置と、ディスク装置の駆動を制御するＣＰＵが実装された回路基板と、ＣＰＵから発せられた熱を外部に放出するための排気ファンとが設けられている。外付けタイプのディスク装置と同様に、本体ケースにはトレイ挿入孔が形成され、ディスクトレイが、本体ケース内部に格納される格納位置と、本体ケースから引き出された引出し位置との間で移動する。
【０００５】
パソコン本体では、通常モードの他に、通常モードよりも消費電力を抑制した省電力モードを設けるのが一般的であり、特許文献１では、省電力モードとしてのパワーセーブモードでは、通常モードよりも低速で排気ファンを駆動している。また、特許文献２では、省電力モードとしてのスタンバイモードでは通常モードよりも低速で排気ファンを駆動し、省電力モードとしてのスリープモード及びサスペンドモードでは排気ファンを停止している。これにより、省電力モードでの消費電力を抑制している。
【特許文献１】特開平２−２９９００９号公報
【特許文献１】特許第３７２２９３９号
【発明の開示】
【発明が解決しようとする課題】
【０００６】
特許文献１及び２では、通常モードのときには、常に排気ファンを駆動している。ディスクトレイが引出し位置に位置するときには、トレイ挿入孔が露呈するため、排気ファンの駆動により、ケース外部の粉塵がトレイ挿入孔からケース内部に吸い込まれ、ピックアップヘッドに粉塵が付着することがあった。ピックアップヘッド、特に対物レンズに粉塵が付着すると、ディスクにデータを記録したり、ディスクからデータを読み出したりすることができなくなる。
【０００７】
本発明は、上記課題を解決するためになされたものであり、ディスクトレイを引き出したときのピックアップヘッドへの粉塵の付着を防止することができるディスク装置及び電子機器を提供することを目的とする。
【課題を解決するための手段】
【０００８】
上記目的を達成するために、本発明のディスク装置は、ディスクを装填し、ケースから引き出された引出し位置と、前記ケース内部に格納された格納位置との間でディスクトレイが移動するディスク装置において、前記ケース内部に設けられ、前記ディスクにデータの記録／再生を行うピックアップヘッドと、前記ディスクトレイの位置を検出する位置検出手段と、前記ケース内部に設けられ、前記ケース内部の空気を前記ケース外部に排気する排気ファンと、前記位置検出手段の検出結果に基づいて、前記排気ファンの駆動を制御する制御手段と、を備えたことを特徴とする。
【０００９】
また、前記制御手段は、前記位置検出手段で前記ディスクトレイが格納位置に位置することが検出されているときには前記排気ファンを駆動可能とし、前記位置検出手段で前記ディスクトレイが格納位置に位置することが検出されていないときには前記排気ファンを停止することが好ましい。
【００１０】
さらに、前記本体ケース内部に設けられ、前記本体ケース内部の温度を検出する温度センサと、前記位置検出手段で前記ディスクトレイが格納位置に位置することが検出されていないときに、前記温度センサでの検出温度が第１所定温度を超えたことに応答して、それを報知する報知手段と、を備えることが好ましい。
【００１１】
また、前記ディスクトレイを移動するトレイ移動機構を備え、前記トレイ移動機構は、前記位置検出手段で前記ディスクトレイが格納位置に位置することが検出されていないときに、前記温度センサでの検出温度が前記第１所定温度よりも高温の第２所定温度を超えたことに応答して、前記ディスクトレイを前記格納位置に移動することが好ましい。
【００１２】
さらに、前記ディスクトレイを移動するトレイ移動機構を備え、前記トレイ移動機構は、前記位置検出手段で前記ディスクトレイが格納位置に位置することが検出されていないときに、前記温度センサでの検出温度が所定温度を超えたことに応答して、前記ディスクトレイを前記格納位置に移動することが好ましい。
【００１３】
また、前記ケース内部に設けられ、前記ケース外部の空気を前記ケース内部に吸気する吸気ファンを備え、前記制御手段は、前記位置検出手段で前記ディスクトレイが格納位置に位置することが検出されているときには、前記排気ファンを駆動可能とするとともに前記吸気ファンを停止し、前記位置検出手段で前記ディスクトレイが格納位置に位置することが検出されていないときには、排気量と吸気量とがほぼ同じになるように前記排気ファン及び吸気ファンを駆動することが好ましい。
【００１４】
さらに、本発明の電子機器は、ディスクを装填し、ケースから引き出された引出し位置と前記ケース内部に格納された格納位置との間で移動するディスクトレイと、前記ケース内部に設けられ、前記ディスクにデータの記録／再生を行うピックアップヘッドと、前記ディスクトレイの位置を検出する位置検出手段とを有するディスク装置と、前記ディスク装置を収納する本体ケースと、前記本体ケース内部に設けられ、前記本体ケース内部の空気を前記本体ケース外部に排気する排気ファンと、前記位置検出手段の検出結果に基づいて、前記排気ファンの駆動を制御する制御手段と、を備えたことを特徴とする。なお、前記電子機器としては、コンピュータシステムの一部を構成するパソコン本体や、ハードディスク内蔵ＤＶＤレコーダ等が挙げられる。
【発明の効果】
【００１５】
本発明によれば、ディスクトレイの位置を検出する位置検出手段の検出結果に基づいて、排気ファンの駆動を制御するから、ディスクトレイの開閉状態に応じた排気ファン制御を行うことができる。
【００１６】
また、制御手段は、ディスクトレイが引出し位置に位置するときには、排気ファンを停止するから、ディスクトレイが引出し位置に位置するときに、排気ファンの駆動で、ケース外部の粉塵がケース内部に侵入することがない。これにより、ケース外部の粉塵が、ピックアップヘッドや対物レンズに付着するのを防止することができる。
【発明を実施するための最良の形態】
【００１７】
［第１実施形態］
図１及び図２に示すように、ディスク装置２は、ディスク３にデータの記録及び再生を行うものであり、コンピュータシステムの一部を構成するパソコン本体等に外付けされて使用される。
【００１８】
ディスク装置２は、ケース４の内部に、ディスク再生メカ５と、回路基板６とが組み込まれている。ディスク再生メカ５は、ディスク３を回転させるスピンドルモータ７と、ディスク３にデータの記録／再生を行うピックアップヘッド８と、ピックアップベース９とを備える。スピンドルモータ７の駆動軸には、ディスク３が装着されるターンテーブル１０が固定されている。ディスク３は、中央にディスク孔３ａが形成されている。ターンテーブル１０には、チャッキングヘッド１１が設けられ、ディスク３のディスク孔３ａに挿入される。ディスク孔３ａに挿入されたチャッキングヘッド１１が、ケース４内部に設けられたクランパ（図示せず）に結合（吸着）することで、ディスク３はターンテーブル１０とクランパとの間で挟持された状態となり、回転可能となる。
【００１９】
ピックアップヘッド８は、発光素子から照射されたレーザ光をディスク３の記録面に集光する対物レンズ１３が組み込まれている。ピックアップヘッド８は、ピックアップベース９に取り付けられた保持シャフト１４に移動自在に保持されている。ピックアップヘッド８は、モータ及びギア等を有する周知の移動機構により、ディスク３の径方向であるＡ方向に移動される。
【００２０】
回路基板６には、スピンドルモータ７及びピックアップヘッド８の駆動を制御するＣＰＵ１６が設けられている。ＣＰＵ１６には、排気ファン１７が取り付けられている。ケース４の後面には、排気ファン１７に対面する位置に、複数の放熱孔４ａが形成されている。排気ファン１７は、ＣＰＵ１６により駆動が制御され、ケース４内部の空気を、放熱孔４ａを通してケース４外部に排気することにより、ＣＰＵ１６から発せられた熱をケース４外部に放熱する。
【００２１】
ケース４には、ディスクトレイ２１が移動可能に取り付けられている。ディスクトレイ２１は、図３に示すように、ディスク３の再生時にケース４内部に格納される格納位置と、図１及び図２に示すように、ケース４から引き出された引出し位置との間で移動する。ディスクトレイ２１は、モータ及びギア等を有する周知のトレイ移動機構２２により移動される。
【００２２】
図１及び図２に示すように、ディスクトレイ２１は、ディスク３が装填されるものであり、ディスク３の外径に対応した窪みが形成されている。ディスクトレイ２１の中心部には、格納位置に位置するときにスピンドルモータ７及びターンテーブル１０が挿通される挿通孔２１ａが形成され、この挿通孔２１ａに連続して、ピックアップヘッド８がディスク３にアクセスするためのアクセス開口２１ｂが形成されている。
【００２３】
ケース４の前面には、ディスクトレイ２１が挿入されるトレイ挿入孔４ｂが形成されている。図３に示すように、ディスクトレイ２１が格納位置に位置するときには、トレイ挿入孔４ｂはディスクトレイ２１により遮蔽され、図１及び図２に示すように、ディスクトレイ２１が引出し位置に位置するときには、トレイ挿入孔４ｂとディスクトレイ２１との間に隙間がある。
【００２４】
ケース４の前面には、ディスクトレイ２１開閉（移動）用の開閉スイッチ２６、ＬＥＤ２７が設けられている。開閉スイッチ２６及びＬＥＤ２７は、ＣＰＵ１６に接続されている。開閉スイッチ２６は、押圧されると、ＣＰＵ１６に信号を出力する。ＬＥＤ２７は、点灯状態、点滅状態、消灯状態に変化可能であり、ＣＰＵ１６により制御される。
【００２５】
ケース４の内部には、位置検出スイッチ３１と、温度センサ３２とが設けられている。位置検出スイッチ３１は、ディスクトレイ２１の位置を検出するものであり、例えば、図２における左方に倒れた左倒位置と、右方に倒れた右倒位置とに回転可能なスイッチ片３１ａを有する回転スイッチから構成されている。位置検出スイッチ３１は、ディスクトレイ２１の下方に配されている。
【００２６】
ディスクトレイ２１が格納位置に移動すると、位置検出スイッチ３１のスイッチ片３１ａは、ディスクトレイ２１に当接して右倒位置に回転する。位置検出スイッチ３１は、スイッチ片３１ａが右倒位置に回転しているときには、ＣＰＵ１６に格納信号を出力する。ディスクトレイ２１が引出し位置に移動すると、スイッチ片３１ａは、ディスクトレイ２１に当接して左倒位置に回転する。位置検出スイッチ３１は、スイッチ片３１ａが左倒位置に回転しているときには、ＣＰＵ１６に引出信号を出力する。ディスクトレイ２１が格納位置と引出し位置との間に位置するときには、スイッチ片３１ａは、左倒位置と右倒位置との間の中間位置に位置する。位置検出スイッチ３１は、スイッチ片３１ａが中間位置に位置するときには、ＣＰＵ１６に信号を出力しない。温度センサ３２は、ＣＰＵ１６の温度を検出する。なお、ディスクトレイ２１の移動に応じてスライドするスライダを設け、このスライダにより位置検出センサ３１のスイッチ片３１ａを回転させるようにしてもよい。
【００２７】
次に、ディスク装置２の作用について説明する。図３に示すように、ディスクトレイ２１が格納位置に位置するときには、位置検出スイッチ３１からＣＰＵ１６に格納信号が入力されている。ＣＰＵ１６は、格納信号が入力されているときには、排気ファン１７を駆動可能にするとともに、ＬＥＤ２７を消灯する。また、ＣＰＵ１６は、格納信号が入力されているときには、温度センサ３２による検出温度が、３５℃を超えているか否かを判定する。ＣＰＵ１６は、検出温度が３５℃を超えたと判定すると、排気ファン１７を駆動する。排気ファン１７の駆動により、ＣＰＵ１６から発せられた熱は、放熱孔４ａを通してケース４の外部に放熱される。また、ＣＰＵ１６は、検出温度が３５℃を超えていない場合には、排気ファン１７を停止する。なお、上記温度は、適宜変更可能である。また、ＣＰＵ１６は、格納信号が入力されているときには、常に排気ファン１７を駆動するようにしてもよい。
【００２８】
ディスクトレイ２１にディスク３を装填するときには、開閉スイッチ２６を押圧する。図１及び図２に示すように、ＣＰＵ１６は、開閉スイッチ２６から信号が入力されたことに応答して、トレイ移動機構２２を駆動し、ディスクトレイ２１を引出し位置に移動する。ディスクトレイ２１が引出し位置に移動すると、ＣＰＵ１６に引出信号が入力される。ＣＰＵ１６は、引出信号が入力されたことに応答して、排気ファン１７が駆動中であればその駆動を停止する。これにより、ディスクトレイ２１が引出し位置に位置しトレイ挿入孔４ｂが露呈しているときに、排気ファン１７の駆動で、ケース４外部の粉塵がトレイ挿入孔４ｂを通ってケース４内部に侵入することがなく、ケース４外部の粉塵が、ピックアップヘッド８や対物レンズ１３に付着するのを防止することができる。
【００２９】
また、ＣＰＵ１６は、引出信号が入力されているときには、温度センサ３２による検出温度が、４０℃（第１所定温度）及び４５℃（第２所定温度）を超えているか否かを判定する。ＣＰＵ１６は、その温度が４５℃を超えると、温度上昇により壊れる可能性が高くなるため、検出温度が危険温度である４５℃に近付いたときには、警告することが好ましい。そこで、ＣＰＵ１６は、検出温度が４０℃を超えたと判定すると、ＬＥＤ２７を点滅させることにより警告する。さらに、検出温度が危険温度である４５℃を超えたときには、直ぐに排気ファン１７を駆動してケース４内部の温度を下げる必要がある。そこで、ＣＰＵ１６は、検出温度が４５℃を超えたと判定すると、ＬＥＤ２７を点灯させることにより警告した後、トレイ移動機構２２を駆動して、ディスクトレイ２１を格納位置に移動する。なお、上記温度は、適宜変更可能である。
【００３０】
引出し位置に位置するディスクトレイ２１にディスク３を搭載した後、開閉スイッチ２６を押圧すると、ＣＰＵ１６は、トレイ移動機構２２を駆動して、ディスクトレイ２１を格納位置に移動する。
【００３１】
ディスクトレイ２１が格納位置に移動すると、位置検出スイッチ３１からＣＰＵ１６に格納信号が入力される。ＣＰＵ１６は、格納信号が入力されたことに応答して、排気ファン１７を駆動可能にし、温度センサ３２による検出温度が３５℃を超えたと判定すると、排気ファン１７を駆動する。
【００３２】
［第２実施形態］
図４の第２実施形態は、ファンを２個設けたディスク装置４０を示す。なお、第１実施形態のものと同様の構成部材には同一の符号を付し、その詳細な説明を省略する。
【００３３】
ケース４の前面（図４における左面）には前面通気孔４ｃが形成され、ケース４の後面（図４における右面）には後面通気孔４ｄが形成されている。ケース４の内部には、前面通気孔４ｃに対面する吸気ファン４１と、後面通気孔４ｄに対面する排気ファン４２とが設けられている。各ファン４１，４２は、ディスク再生メカ５の下方に設けられている。吸気ファン４１は、前面通気孔４ｃを通してケース４外部の空気をケース４内部に吸気する。排気ファン４２は、後面通気孔４ｄを通してケース４内部の空気をケース４外部に排気する。
【００３４】
ディスクトレイ２１が格納位置に位置するときには、ＣＰＵ１６は、排気ファン４２のみを駆動可能とし、温度センサ３２による検出温度が３５℃を超えたと判定すると、排気ファン４２を駆動する。また、ディスクトレイ２１が引出し位置に位置するときには、ＣＰＵ１６は、吸気ファン４１及び排気ファン４２の両方を駆動可能とし、温度センサ３２による検出温度が３５℃を超えたと判定すると、吸気ファン４１及び排気ファン４２を駆動する。両方を駆動するときには、ＣＰＵ１６は、吸気ファン４１の吸気量と排気ファン４２の排気量とがほぼ同じになるように調整する。なお、ディスクトレイ２１が格納位置に位置しないとき、すなわち、格納信号がＣＰＵ１６に入力されていないときに、吸気ファン４１及び排気ファン４２を駆動するようにしてもよい。
【００３５】
吸気ファン４１の吸気量と排気ファン４２の排気量とをほぼ同じにすると、吸気ファン４１でケース４内部に吸気された空気が、そのまま排気ファン４２でケース４外部に排気されるため、各ファン４１，４２が駆動しているときに、ピックアップヘッド８の周囲を通気しない。これにより、ディスクトレイ２１が引出し位置に位置するときに、排気ファン４２の駆動で、ケース４外部の粉塵がトレイ挿入孔４ｂを通ってケース４内部に侵入することがない。
【００３６】
［第３実施形態］
図５及び図６の第３実施形態は、ディスク装置６０を内蔵しコンピュータシステムの一部を構成するディスク装置内蔵パソコン本体（パソコン本体と称する）５０を示す。なお、第１実施形態のものと同様の構成部材には同一の符号を付し、その詳細な説明を省略する。
【００３７】
パソコン本体５０は、本体ケース５１の内部に、ディスク装置６０と、回路基板５２と、ハードディスクドライブ装置５３とが組み込まれている。ハードディスクドライブ装置５３は、ハードディスクにデータの記録及び再生を行う。
【００３８】
回路基板５２には、ＣＰＵ５４と排気ファン５５とが組み付けられている。ＣＰＵ５４は、ディスク装置６０及びハードディスクドライブ装置５３の駆動を制御するものであり、排気ファン５５に近接した位置に組み付けられている。
【００３９】
ディスク装置６０は、ケース４内部にディスク再生メカ５が設けられおり、ディスクトレイ２１は、ディスク３の再生時にケース４内部に格納される格納位置（図６参照）と、ケース４から引き出された引出し位置（図５参照）との間で移動する。ケース４は、その前面が本体ケース５１の前面と略同一面となるように、本体ケース５１に取り付けられている。ディスクトレイ２１は、引出し位置に位置するときには、本体ケース５１の前面から突出する。ディスクトレイ２１は、ケース４内部に設けられたトレイ移動機構２２により移動される。ディスクトレイ２１には、ディスク３を保持するためのディスク保持リブ２１ｃが形成されている。
【００４０】
ケース４内部に設けられた位置検出スイッチ３１は、ディスクトレイ２１が格納位置に位置することを検出しているときには、ＣＰＵ１６に格納信号を出力し、ディスクトレイ２１が引出し位置に位置することを検出しているときには、ＣＰＵ５４に引出信号を出力する。本体ケース５１の内部には、ＣＰＵ１６の温度を検出する温度センサ５７が設けられている。ディスク装置６０とＣＰＵ５４とは、ＩＤＥインターフェイスなどで接続されており、格納信号及び引出信号は、ＩＤＥインターフェイスを介してＣＰＵ１６からＣＰＵ５４に出力される。
【００４１】
ケース４の前面には、ディスクトレイ２１開閉（移動）用の開閉スイッチ２６と、ＬＥＤ２７とが設けられている。本体ケース５１の後面には、排気ファン５５に対面する位置に、複数の放熱孔５１ａが形成されている。排気ファン５５は、ＣＰＵ５４により駆動が制御され、ＣＰＵ５４から発せられた熱を、放熱孔５１ａを通して本体ケース５１外部に放熱する。また、排気ファン５５が駆動すると、ケース４内部の空気は、ケース４に形成されたコネクタ接続用の開口等を通して本体ケース５１内部に流れ込み、放熱孔５１ａを通して本体ケース５１外部に排気される。これにより、ケース４内部のＣＰＵ１６から発せられた熱を、本体ケース５１外部に放熱することができる。
【００４２】
ケース４の前面には、ディスクトレイ２１が挿入されるトレイ挿入孔４ｂが形成されている。図６に示すように、ディスクトレイ２１が格納位置に位置するときには、トレイ挿入孔４ｂはディスクトレイ２１により遮蔽され、図５に示すように、ディスクトレイ２１が引出し位置に位置するときには、トレイ挿入孔４ｂとディスクトレイ２１との間に隙間がある。
【００４３】
次に、パソコン本体５０の作用について説明する。図６に示すように、ディスクトレイ２１が格納位置に位置するときには、ＩＤＥインターフェイスを介して位置検出スイッチ３１からＣＰＵ５４に格納信号が入力され、ＣＰＵ５４は、排気ファン５５を駆動可能とするとともに、ＩＤＥインターフェイス及びＣＰＵ１６を介してＬＥＤ２７を消灯する。また、ＣＰＵ５４は、格納信号が入力されているときには、温度センサ５７による検出温度が、３５℃を超えているか否かを判定する。ＣＰＵ５４は、検出温度が３５℃を超えたと判定すると、排気ファン５５を駆動する。
【００４４】
ＣＰＵ１６は、開閉スイッチ２６から信号が入力されたことに応答して、トレイ移動機構２２を駆動し、ディスクトレイ２１を引出し位置に移動する。ディスクトレイ２１が引出し位置に移動すると、ＩＤＥインターフェイスを介してＣＰＵ５４に引出信号が入力される。ＣＰＵ５４は、引出信号が入力されたことに応答して、排気ファン５５が駆動中であればその駆動を停止する。これにより、ディスクトレイ２１が引出し位置に位置するときに、排気ファン５５の駆動で、本体ケース５１外部の粉塵がトレイ挿入孔４ｂを通ってケース４内部に侵入することがなく、さらには、ケース４に形成されたコネクタ接続用の開口等を通して、本体ケース５１外部の粉塵が本体ケース５１内部に侵入することがない。ケース４内部への粉塵の侵入を防止することにより、ピックアップヘッド８や対物レンズ１３に粉塵が付着することを防止することができる。
【００４５】
また、ＣＰＵ５４は、ＩＤＥインターフェイスを介して引出信号が入力されているときには、温度センサ５７による検出温度が、４０℃及び４５℃を超えているか否かを判定する。ＣＰＵ５４は、その温度が４５℃を超えると、温度上昇により壊れる可能性が高くなるため、検出温度が危険温度である４５℃に近付いたときには、警告することが好ましい。そこで、ＣＰＵ５４は、検出温度が４０℃を超えたと判定すると、ＣＰＵ１６を介してＬＥＤ２７を点滅させることにより警告する。さらに、検出温度が危険温度である４５℃を超えたときには、直ぐに排気ファン５５を駆動して本体ケース５１内部の温度を下げる必要がある。そこで、ＣＰＵ５４は、検出温度が４５℃を超えたと判定すると、ＩＤＥインターフェイス及びＣＰＵ１６を介してＬＥＤ２７を点灯させることにより警告した後、トレイ移動機構２２をＣＰＵ１６により駆動して、ディスクトレイ２１を格納位置に移動する。
【００４６】
引出し位置に位置するディスクトレイ２１にディスク３を搭載した後、開閉スイッチ２６を押圧すると、ＣＰＵ１６は、トレイ移動機構２２を駆動して、ディスクトレイ２１を格納位置に移動する。
【００４７】
ディスクトレイ２１が格納位置に移動すると、位置検出スイッチ３１からＩＤＥインターフェイスを介してＣＰＵ５４に格納信号が入力される。ＣＰＵ５４は、格納信号が入力されたことに応答して、排気ファン５５を駆動可能にし、温度センサ５７による検出温度が３５℃を超えたと判定すると、排気ファン５５を駆動する。
【００４８】
なお、上記第１，第３実施形態では、ＣＰＵ１６，５４は、検出温度が４５℃を超えたと判定すると、ＬＥＤ２７を点灯させた後、ディスクトレイ２１を格納位置に移動したが、ディスクトレイ２１を格納位置に移動する代わりに、排気ファン１７，５５を駆動してもよい。また、検出温度が４０℃を超えたと判定すると、ＬＥＤ２７を点滅させることにより、先ずは警告のみを行うようにしたが、検出温度が４０℃（所定温度）を超えたと判定すると、ディスクトレイ２１を格納位置に移動するようにしてもよい。なお、上記温度は、適宜変更可能である。
【００４９】
また、上記第１，第３実施形態では、ディスクトレイ２１が引出し位置に位置するときには、排気ファン１７，５５を停止したが、停止せずに、ディスクトレイ２１が格納位置に位置するときに比べて排気ファン１７，５５を低速で駆動するようにしてもよい。
【００５０】
さらに、上記第１，第３実施形態では、ディスクトレイ２１が引出し位置に位置し、引出信号がＣＰＵ１６，５４に入力されているときに、排気ファン１７，５５を停止したが、ディスクトレイ２１が格納位置に位置しないとき、すなわち、格納信号がＣＰＵ１６，５４に入力されていないときに、排気ファン１７，５５を停止するようにしてもよい。もちろん、格納位置に位置するときに比べて排気ファン１７，５５を低速で駆動するようにしてもよい。これにより、ディスクトレイ２１の引出しが途中で妨げられ、ディスクトレイ２１が格納位置と引出し位置との間に位置するときであっても、排気ファン１７，５５を停止させることができる。
【００５１】
さらに、各ファン１７，５５を、排気状態と吸気状態とに変化可能な排気・吸気ファンから構成し、ディスクトレイ２１が格納位置に位置するときには、排気・吸気ファンを排気状態にし、ディスクトレイ２１が引出し位置に位置するときには、排気・吸気ファンを吸気状態にしてもよい。もちろん、ディスクトレイ２１が格納位置に位置しないときに、排気・吸気ファンを吸気状態にするようにしてもよい。
【００５２】
また、上記実施形態では、温度センサ３２，５７でＣＰＵ１６，５４の温度を検出したが、温度を検出する対象物は、適宜変更可能であり、例えば、ピックアップヘッド８の温度を検出してもよい。
【００５３】
さらに、上記実施形態では、位置検出スイッチ３１でディスクトレイ２１の位置を検出したが、その検出方法は適宜変更可能であり、例えば、光を発光する発光部と光を受光する受光部とを有する光センサにより検出してもよい。この場合には、ディスクトレイ２１の側面の先端部（図２における下端部）に、光を反射する反射板を取り付け、ケース４内部の先端側（図２における下端側）に光センサを設ける。発光部は、ディスクトレイ２１の側面に向けて光を発光し、ディスクトレイ２１の側面で反射した光を受光部で受光する。ディスクトレイ２１が格納位置に位置するときには、発光部から発光された光は、反射板で反射されて受光部で受光される。ディスクトレイ２１が引出し位置に移動すると、発光部から発光された光はディスクトレイ２１の側面で反射されなくなるため、受光部での受光量が減少する。光センサは、受光量に基づいて、ディスクトレイ２１の位置を検出する。
【００５４】
また、上記第１，第３実施形態では、ディスクトレイ２１が自動で移動するディスク装置２及びディスク装置６０を内蔵したパソコン本体５０に本発明を実施したが、ディスクトレイ２１を手動で移動させるディスク装置及びパソコン本体に実施してもよい。この場合には、ＣＰＵ１６，５４は、検出温度が４５℃を超えたと判定すると、ＬＥＤ２７を点灯させた後、排気ファン１７，５５を駆動する。
【００５５】
さらに、上記実施形態では、ＬＥＤ２７の点滅及び点灯により、検出温度が４０℃及び４５℃を超えたことを報知したが、報知方法は適宜変更可能であり、例えば、音により報知してもよい。また、第３実施形態のように、パソコン本体５０に本発明を実施する場合は、パソコン本体５０の本体ケース５１に別途ＬＥＤを設けて報知してもよい。さらには、パソコン本体５０に接続されたディスプレイ画面上に、ディスクトレイ２１を閉めるように促すメッセージを表示させるようにしてもよい。
【図面の簡単な説明】
【００５６】
【図１】本発明を実施したディスク装置を示す斜視図である。
【図２】ディスクトレイが引出し位置に位置する状態のディスク装置の上面断面図である。
【図３】ディスクトレイが格納位置に位置する状態のディスク装置の斜視図である。
【図４】吸気ファンと排気ファンとを設けた実施形態のディスク装置の側面断面図である。
【図５】ディスク装置を内蔵したパソコン本体を示す斜視図である。
【図６】パソコン本体の側面断面図である。
【符号の説明】
【００５７】
２，４０，６０  ディスク装置
３  ディスク
４  ケース
４ａ，５１ａ  放熱孔
４ｂ  トレイ挿入孔
５  ディスク再生メカ
８  ピックアップヘッド
１６，５４  ＣＰＵ（制御手段）
１７，４２，５５  排気ファン
２１  ディスクトレイ
２２  トレイ移動機構
２７  ＬＥＤ（報知手段）
３１  位置検出スイッチ（位置検出手段）
３２，５７  温度センサ
４１  吸気ファン
５０  パソコン本体（電子機器）
５１  本体ケース
【図１】
2009211786.tif 000003
【図２】
2009211786.tif 000004
【図３】
2009211786.tif 000005
【図４】
2009211786.tif 000006
【図５】
2009211786.tif 000007
【図６】
2009211786.tif 000008